(57)【要約】【課題】自然界に存在する色を忠実に再現することができ、画像の表現力に優れた表示装置を提供する。【解決手段】本発明の表示装置は、異なる複数の色の色光を射出することによりカラー表示を行う表示装置であって、前記複数の色に対応する複数のサブ画素と、前記各サブ画素に対応する部分に形成された複数の着色部を有し、前記複数のサブ画素に対応して形成されたカラーフィルターと、を備え、前記複数のサブ画素内において、前記各着色部の長手方向又は短手方向の幅が等しく、前記異なる複数の色は、ｘｙ色度図において、０．６４３≦ｘ，ｙ≦０．３３３の範囲にある第１の色と、０．２５７≦ｘ，０．６０６≦ｙの範囲にある第２の色と、ｘ≦０．１６４，０．４５３≦ｙの範囲にある第３の色と、ｘ≦０．１５１、ｙ≦０．０５６の範囲にある第４の色とからなる。【選択図】図４１
2007114295.tif 000002
【特許請求の範囲】
【請求項１】
異なる複数の色の色光を射出することによりカラー表示を行う表示装置であって、
前記複数の色に対応する複数のサブ画素と、
前記各サブ画素に対応する部分に形成された複数の着色部を有し、前記複数のサブ画素に対応して形成されたカラーフィルターと、を備え、
前記複数のサブ画素内において、前記各着色部の長手方向又は短手方向の幅が等しく、
前記異なる複数の色は、ｘｙ色度図において、
０．６４３≦ｘ，ｙ≦０．３３３の範囲にある第１の色と、
０．２５７≦ｘ，０．６０６≦ｙの範囲にある第２の色と、
ｘ≦０．１６４，０．４５３≦ｙの範囲にある第３の色と、
ｘ≦０．１５１、ｙ≦０．０５６の範囲にある第４の色とからなることを特徴とする表示装置。
【請求項２】
異なる複数の色の色光を射出することによりカラー表示を行う表示装置であって、
前記複数の色に対応する複数のサブ画素と、
前記各サブ画素に対応する部分に形成された複数の着色部を有し、前記複数のサブ画素に対応して形成されたカラーフィルターと、を備え、
前記複数のサブ画素内において、前記各着色部の長手方向又は短手方向の幅が等しく、
前記異なる複数の色は、ｕ'ｖ'色度図において、
０．４５０≦ｕ’の範囲にある第１の色と、
０．５６９≦ｖ’の範囲にある第２の色と、
ｕ’≦０．０７６の範囲にある第３の色と、
ｖ’≦０．１４９の範囲にある第４の色とからなることを特徴とする表示装置。
【請求項３】
異なる複数の色の色光を射出することによりカラー表示を行う表示装置であって、
前記複数の色に対応する複数のサブ画素と、
前記各サブ画素に対応する部分に形成された複数の着色部を有し、前記複数のサブ画素に対応して形成されたカラーフィルターと、を備え、
前記複数のサブ画素内において、前記各着色部の長手方向又は短手方向の幅が等しく、
前記異なる複数の色は、赤系の色相の第１の色と、
青から黄までの色相の中で選択された２種の色相の第２の色及び第３の色と、
青系の色相の第４の色とからなることを特徴とする表示装置。
【請求項４】
前記青系の色相は、青紫から青緑の色相であることを特徴とする請求項３に記載の表示装置。
【請求項５】
前記青系の色相は、藍から青の色相であることを特徴とする請求項４に記載の表示装置。
【請求項６】
前記赤系の色相は、橙から赤の色相であることを特徴とする請求項３に記載の表示装置。
【請求項７】
前記青から黄までの色相の中で選択された２種の色相の一方は、青から緑の色相であることを特徴とする請求項３に記載の表示装置。
【請求項８】
前記２種の色相の一方は、青緑から緑の色相であることを特徴とする請求項７に記載の表示装置。
【請求項９】
前記青から黄までの色相の中で選択された２色の色相の他方は、緑から橙の色相であることを特徴とする請求項３に記載の表示装置。
【請求項１０】
前記２種の色相の他方は、緑から黄の色相であることを特徴とする請求項９に記載の表示装置。
【請求項１１】
前記２種の色相の他方は、緑から黄緑の色相であることを特徴とする請求項９に記載の表示装置。
【請求項１２】
異なる複数の色の色光を射出することによりカラー表示を行う表示装置であって、
前記複数の色に対応する複数のサブ画素と、
前記各サブ画素に対応する部分に形成された複数の着色部を有し、前記複数のサブ画素に対応して形成されたカラーフィルターと、を備え、
前記複数のサブ画素内において、前記各着色部の長手方向又は短手方向の幅が等しく、
前記カラーフィルターは、該カラーフィルターを透過した光の波長のピークが、６００ｎｍ以上にある第１の色と、５００−５９０ｎｍにある第２の色と、４８５−５３５ｎｍにある第３の色と、４００−５００ｎｍにある第４の色とを有することを特徴とする表示装置。
【請求項１３】
前記第１の色は、前記カラーフィルターを透過した光の波長のピークが６０５ｎｍ以上であることを特徴とする請求項１２に記載の表示装置。
【請求項１４】
前記第２の色は、前記カラーフィルターを透過した光の波長のピークが５１０−５８５ｎｍであることを特徴とする請求項１２に記載の表示装置。
【請求項１５】
前記第２の色は、前記カラーフィルターを透過した光の波長のピークが５３０−５６５ｎｍであることを特徴とする請求項１２に記載の表示装置。
【請求項１６】
前記第３の色は、前記カラーフィルターを透過した光の波長のピークが４９５−５２０ｎｍであることを特徴とする請求項１２に記載の表示装置。
【請求項１７】
前記第４の色は、前記カラーフィルターを透過した光の波長のピークが４３５−４８５ｎｍにあることを特徴とする請求項１２に記載の表示装置。
【請求項１８】
前記複数のサブ画素内において、前記各着色部の長手方向又は短手方向の幅が、前記複数のサブ画素のうち隣接するサブ画素同士の間の領域に形成された遮光膜によって規定されていることを特徴とする請求項１ないし１７のいずれか一項に記載の表示装置。
【請求項１９】
前記カラーフィルターを透過させるための光を出射するバックライトを備え、
前記バックライトは、
青の光の波長のピークが４３５ｎｍ−４８５ｎｍにあり、
緑の光の波長のピークが５２０ｎｍ−５４５ｎｍにあり、
赤の光の波長のピークが６１０ｎｍ−６５０ｎｍにあることを特徴とする請求項１ないし１８のいずれか一項に記載の表示装置。
【請求項２０】
前記バックライトが、発光ダイオード、蛍光管、有機エレクトロルミネッセンス装置のいずれか一つからなることを特徴とする請求項１９に記載の表示装置。
【請求項２１】
前記カラーフィルターを透過させるための光を出射する有機エレクトロルミネッセンス装置を備え、
前記有機エレクトロルミネッセンス装置の発光部が白色光を発光する白色発光層を有し、前記カラーフィルターと前記白色発光層との組み合わせで前記複数の色の色光を得ることを特徴とする請求項１ないし１８のいずれか一項に記載の表示装置。
【請求項２２】
前記カラーフィルターを透過させるための光を出射する有機エレクトロルミネッセンス装置を備え、
前記有機エレクトロルミネッセンス装置の発光部が、赤色光を発光する赤色発光層と緑色光を発光する緑色発光層と青色光を発光する青色発光層とを有し、
前記カラーフィルターの前記第１の色に対応する着色部と前記発光部の赤色発光層との組み合わせ、
前記カラーフィルターの前記第２の色に対応する着色部と前記発光部の緑色発光層との組み合わせ、
前記カラーフィルターの前記第３の色に対応する着色部と前記発光部の緑色発光層との組み合わせ、
前記カラーフィルターの前記第４の色に対応する着色部と前記発光部の青色発光層との組み合わせ、で前記複数の色の色光を得ることを特徴とする請求項１ないし１８のいずれか一項に記載の表示装置。
【請求項２３】
請求項１ないし２２のいずれか一項に記載の表示装置を備えたことを特徴とする電子機器。
【発明の詳細な説明】
【技術分野】
【０００１】
本発明は、表示装置および電子機器に関し、特に表示の色再現性を向上させる技術に関するものである。
【背景技術】
【０００２】
液晶ディスプレイ、有機エレクトロルミネッセンス（Electro-Luminescence, 以下、ＥＬと略記する）ディスプレイ等のカラー画像表示装置では、通常、赤（Ｒ）、緑（Ｇ）、青（Ｂ）の３色の加法混色により様々な色を再現している。この場合、画像表示において再現可能な色の範囲（色再現範囲）は、３次元の色空間で３色の色ベクトルの和として表される領域に限られる。近年、画像表示装置においては用途の多様化に伴って画像の表現力が向上しており、例えば微妙な色合いの表現が求められている。つまり、色再現範囲の拡大が要求されている。色再現範囲を拡大する手段の一つに色の彩度を高める方法がある。ところが、色の彩度を高めるためには色の波長域を狭め、単色光に近づける必要があるため、レーザー光などの特殊な光源を用いない限り、光の利用効率が低下してしまう。
【０００３】
そこで、表示に用いる色の数を増やすことによって色再現範囲を拡大する試みがなされている。例えば、下記の特許文献１には４つの色を用いた映像表示装置が開示されている。この映像表示装置においては、４色のうちのＲ，Ｇ，Ｂの色を標準色空間の一つであるｓＲＧＢ色度に一致させており、シアン（Ｃ）色を追加することによって色再現範囲を拡大している。
【特許文献１】特開２００３−２２８３６０号公報
【発明の開示】
【発明が解決しようとする課題】
【０００４】
ところが、特許文献１に記載の映像表示装置においては、４色のうちのＲ，Ｇ，Ｂの色度をｓＲＧＢの色度に一致させているため、自然界に存在する色、例えばPointerGamutと呼ばれる色域を十分に含まない。シアン色を追加しているので、色再現範囲が４角形で囲まれる領域となり、ｓＲＧＢそのものよりも良いのは勿論であるが、例えばRed−Yellow−Greenの領域やRed−Magenta−Blueの領域ではPointerGamutを含んでいない。
【０００５】
図２４は、特許文献１に記載の映像表示装置の色再現範囲を示すｕ'ｖ'色度図である。この図では、この映像表示装置の色再現範囲に加えて、自然界に存在する色のデータベースであるPointerGamutと、標準色空間ｓＲＧＢの色再現範囲を示す。ｓＲＧＢの色域は元々PointerGamutを含んでいないため、シアン色を追加している。よって、追加したシアン色の周辺ではPointerGamutを含むようになる。一方、Ｒ，Ｇ，ＢはｓＲＧＢの色としているため、Red−Yellow−Greenの領域やRed−Magenta−Blueの領域ではPointerGamutを含まない。このため、これらの領域で鮮やかな色を再現することができず、また、PointerGamutに規定された色を忠実に再現することができない、という問題があった。
【０００６】
本発明は、上記の課題を解決するためになされたものであって、特に自然界に存在する色を忠実に再現することができ、且つ所定の方向から観察した場合の表示品位の劣化を防止できる、画像の表現力に優れた表示装置、及びこれを用いた電子機器を提供することを目的とする。
【課題を解決するための手段】
【０００７】
上記の目的を達成するために、本発明者らは、カラーフィルターとバックライトとを備えた液晶表示装置、あるいはカラーフィルターと有機ＥＬ装置とを組み合わせたものを想定し、種々の異なる分光特性を有するカラーフィルターとバックライトの組み合わせについて表現可能な色再現域をシミュレーションにより求めた。その結果、赤、緑、青、シアンの４色の座標を結ぶ四角形で囲まれる色域が、PointerGamutと呼ばれる自然界に存在する色のデータベース（M.R.Pointer, The Gamut of Real Surface Colours, COLOR Research and Application, Vol.5 Num.3, pp.145-155, 1980）を含むように各色の座標を限定した。ここで、PointerGamutとは、色票（色見本）等を測定し、彩度が高いものについて色相毎にまとめたデータベースである。彩度が高いものが集められているため、色再現域の評価などでしばしば用いられる。
【０００８】
すなわち、本発明の表示装置は、異なる複数の色の色光を射出することによりカラー表示を行う表示装置であって、前記複数の色に対応する複数のサブ画素と、前記各サブ画素に対応する部分に形成された複数の着色部を有し、前記複数のサブ画素に対応して形成されたカラーフィルターと、を備え、前記複数のサブ画素内において、前記各着色部の長手方向又は短手方向の幅が等しく、前記異なる複数の色は、ｘｙ色度図において、０．６４３≦ｘ，ｙ≦０．３３３の範囲にある第１の色と、０．２５７≦ｘ，０．６０６≦ｙの範囲にある第２の色と、ｘ≦０．１６４，０．４５３≦ｙの範囲にある第３の色と、ｘ≦０．１５１、ｙ≦０．０５６の範囲にある第４の色とからなることを特徴とする。
詳細は具体例として後述するが、この構成によれば、この表示装置における色再現範囲がPointerGamutを含むことになるため、自然界に存在する色を忠実に再現することができ、画像の表現力をより高めることができる。
【０００９】
また、本発明の表示装置は、異なる複数の色の色光を射出することによりカラー表示を行う表示装置であって、前記複数の色に対応する複数のサブ画素と、前記各サブ画素に対応する部分に形成された複数の着色部を有し、前記複数のサブ画素に対応して形成されたカラーフィルターと、を備え、前記複数のサブ画素内において、前記各着色部の長手方向又は短手方向の幅が等しく、前記異なる複数の色は、ｕ'ｖ'色度図において、０．４５０≦ｕ’の範囲にある第１の色と、０．５６９≦ｖ’の範囲にある第２の色と、ｕ’≦０．０７６の範囲にある第３の色と、ｖ’≦０．１４９の範囲にある第４の色とからなることを特徴とする。
上記の構成がｘｙ色度図で表現したものであるのに対し、本構成はｕ'ｖ'色度図で表現したものである。この構成においても、この表示装置における色再現範囲がPointerGamutを含むことになるため、自然界に存在する色を忠実に再現することができ、画像の表現力をより高めることができる。なお、本構成のｕ’ｖ’色度図における座標の上限または下限は、後述する実施例から求めたものであり、上記のｘｙ色度図系で表現したときの上限または下限の値をそのままｕ’ｖ’色度図系に変換したものではない。
【００１０】
また、本発明の表示装置は、異なる複数の色の色光を射出することによりカラー表示を行う表示装置であって、前記複数の色に対応する複数のサブ画素と、前記各サブ画素に対応する部分に形成された複数の着色部を有し、前記複数のサブ画素に対応して形成されたカラーフィルターと、を備え、前記複数のサブ画素内において、前記各着色部の長手方向又は短手方向の幅が等しく、前記異なる複数の色は、赤系の色相の第１の色と、青から黄までの色相の中で選択された２種の色相の第２の色及び第３の色と、青系の色相の第４の色とからなることを特徴とする。この構成によれば、色再現範囲がPointerGamutを含むことになるため、自然界に存在する色を忠実に再現することができ、画像の表現力のより高い液晶表示装置を実現することができる。
【００１１】
また、本発明の表示装置は、異なる複数の色の色光を射出することによりカラー表示を行う表示装置であって、前記複数の色に対応する複数のサブ画素と、前記各サブ画素に対応する部分に形成された複数の着色部を有し、前記複数のサブ画素に対応して形成されたカラーフィルターと、を備え、前記複数のサブ画素内において、前記各着色部の長手方向又は短手方向の幅が等しく、前記カラーフィルターは、該カラーフィルターを透過した光の波長のピークが、６００ｎｍ以上にある第１の色と、５００−５９０ｎｍにある第２の色と、４８５−５３５ｎｍにある第３の色と、４００−５００ｎｍにある第４の色とを有することを特徴とする。この構成によれば、色再現範囲がPointerGamutを含むことになるため、自然界に存在する色を忠実に再現することができ、画像の表現力のより高い液晶表示装置を実現することができる。
【００１２】
また、本発明の表示装置は、前記複数のサブ画素内において、前記各着色部の長手方向又は短手方向の幅が、前記複数のサブ画素のうち隣接するサブ画素同士の間の領域に形成された遮光膜によって規定されていることを特徴とする。
【００１３】
また、本発明の表示装置は、前記カラーフィルターを透過させるための光を出射するバックライトを備え、前記バックライトは、青の光の波長のピークが４３５ｎｍ−４８５ｎｍにあり、緑の光の波長のピークが５２０ｎｍ−５４５ｎｍにあり、赤の光の波長のピークが６１０ｎｍ−６５０ｎｍにあることを特徴とする。
【００１４】
また、本発明の表示装置は、前記バックライトが、発光ダイオード、蛍光管、有機エレクトロルミネッセンス装置のいずれか一つからなることを特徴とする。
【００１５】
また、本発明の表示装置は、前記カラーフィルターを透過させるための光を出射する有機エレクトロルミネッセンス装置を備え、前記有機エレクトロルミネッセンス装置の発光部が白色光を発光する白色発光層を有し、前記カラーフィルターと前記白色発光層との組み合わせで前記複数の色の色光を得ることを特徴とする。また、前記カラーフィルターを透過させるための光を出射する有機エレクトロルミネッセンス装置を備え、前記有機エレクトロルミネッセンス装置の発光部が、赤色光を発光する赤色発光層と緑色光を発光する緑色発光層と青色光を発光する青色発光層とを有し、前記カラーフィルターの前記第１の色に対応する着色部と前記発光部の赤色発光層との組み合わせ、前記カラーフィルターの前記第２の色に対応する着色部と前記発光部の緑色発光層との組み合わせ、前記カラーフィルターの前記第３の色に対応する着色部と前記発光部の緑色発光層との組み合わせ、前記カラーフィルターの前記第４の色に対応する着色部と前記発光部の青色発光層との組み合わせ、で前記複数の色の色光を得ることを特徴とする。
この構成によれば、色再現範囲がPointerGamutを含むことになるため、自然界に存在する色を忠実に再現することができ、画像の表現力のより高い有機ＥＬ装置を実現することができる。
【００１６】
本発明の電子機器は、上記本発明の表示装置、あるいは上記本発明の液晶表示装置を備えたことを特徴とする。
この構成によれば、本発明の表示装置、あるいは上記本発明の液晶表示装置を備えたことにより色再現性に優れた表示部を有する電子機器を実現することができる。
【発明を実施するための最良の形態】
【００１７】
［第１の実施形態］
以下、本発明の第１の実施形態を図１〜図３を参照して説明する。
本実施形態では、ＴＦＴ（Thin-Film Transistor）素子をスイッチング素子に用いたアクティブマトリクス型の半透過反射型液晶表示装置への本発明の適用例を示す。図１は本実施形態の半透過反射型液晶表示装置の全体構成を示す分解概略斜視図である。
本実施形態の液晶表示装置３は、図１に示すように、液晶層（図示略）を挟持して対向配置されたカラーフィルター基板８０と素子基板（対向基板）９０とから構成された液晶パネルと、液晶パネルの視認側と反対側に配置されたバックライト（図示略）とを具備して構成されている。
【００１８】
素子基板９０は、基板本体９１の液晶層側表面に、ＴＦＴ素子９４、画素電極９５等が形成され、これらの液晶層側に配向膜（図示略）が形成されて概略構成されている。より詳細には、素子基板９０において、基板本体９１表面に、多数のデータ線９２と多数の走査線９３とが互いに交差するように格子状に設けられている。各データ線９２と各走査線９３の交差点の近傍にはＴＦＴ素子９４が形成されており、各データ線９２に各ＴＦＴ素子９４を介して画素電極９５が接続されている。素子基板９０の液晶層側表面全体を見れば、多数の画素電極９５がマトリクス状に配列されており、液晶表示装置３において各画素電極９５が形成された領域が個々のサブ画素となっている。一方、カラーフィルター基板８０は、基板本体１１の液晶層側表面に、反射層１２と、着色部１３Ｒ，１３Ｇ，１３Ｂ，１３Ｃを有するカラーフィルター１３と、遮光層１５と、オーバーコート層（図示略）と、共通電極８１と、配向膜（図示略）とが形成されて概略構成されている。なお、上記反射層１２は、少なくとも一つのサブ画素内に設けられた光反射領域に対応して設けられている。サブ画素内には上記光反射領域以外に光透過領域が設けられ、この光透過領域には反射層１２は形成されていない。
【００１９】
図１においては、第１ないし第４の色の例として、カラーフィルター１３が、赤色着色部１３Ｒ，緑色着色部１３Ｇ，青色着色部１３Ｂ，シアン色着色部１３Ｃの４色の着色部を有しており、４つのサブ画素で１つの画素を構成している。すなわち、第１ないし第４の色からなる４色の色光の加法混色によってカラー表示の色再現を行うものである。したがって、本実施形態の液晶表示装置は、Ｒ，Ｇ，Ｂの３色でカラー表示を行うものに比べて色再現範囲の広いものとなっている。
【００２０】
図２は本実施形態の液晶表示装置の色再現域をｘｙ色度図で示したものである。なお、図１においては、第１ないし第４の色を赤（Ｒ）、緑（Ｇ）、シアン（Ｃ）、青（Ｂ）として説明したが、各実施例も含めて以下の各図及び各表においては、第１ないし第４の色は赤（Ｒ）、緑（Ｇ）、シアン（Ｃ）、青（Ｂ）に限定されるものではなく、その他の色も含むものである。各色の取り得るｘｙ座標値は、図２中に破線の４角形で囲まれる範囲である。すなわち、下記の［表１］に示すように、第１の色の座標が０．６４３≦ｘ≦０．６９０、０．２９９≦ｙ≦０．３３３、第２の色の座標が０．２５７≦ｘ≦０．３５７、０．６０６≦ｙ≦０．６５３、第３の色の座標が０．０９８≦ｘ≦０．１６４、０．４５３≦ｙ≦０．４９４、第４の色の座標が０．１３４≦ｘ≦０．１５１、０．０３４≦ｙ≦０．０５６の色度範囲にある。
【００２１】
【表１】
2007114295.tif 000003
【００２２】
同様に、図３は本実施形態の液晶表示装置の色再現域をｕ'ｖ'色度図で示したものである。各色の取り得るｕ'ｖ'座標値は、図３中に破線の４角形で囲まれる範囲である。すなわち、下記の［表２］に示すように、第１の色の座標が０．４５０≦ｕ’≦０．５３０、０．５１７≦ｖ’≦０．５２５、第２の色の座標が０．１００≦ｕ’≦０．１５０、０．５６９≦ｖ’≦０．５７４、第３の色の座標が０．０４６≦ｕ’≦０．０７６、０．４９９≦ｖ’≦０．５１７、第４の色の座標が０．１５８≦ｕ’≦０．１９４、０．０９９≦ｖ’≦０．１４９の色度範囲にある。
【００２３】
【表２】
2007114295.tif 000004
【００２４】
図２，図３にはｓＲＧＢの３色の座標によって表現可能な色再現域を破線の３角形で示した。これに対して、本実施形態の液晶表示装置における第１の色、第２の色、第４の色の３色の座標は、ｓＲＧＢの３色の座標よりも色度図上の外側に位置し、しかも第３の色が追加されていることにより表現可能な色再現域が実線の４角形で囲まれる領域となる。この４角形は、各色の取り得る座標範囲において代表的な色を設定し、その代表的な色を結ぶ４角形である。よって、この４角形で囲まれる色再現域はあくまでも一例であるが、図３に示したように、ｓＲＧＢの３角形はPointerGamutの一部を含まないのに対し、本実施形態の色再現域の４角形はPointerGamutを含むことになる。そのため、本実施形態の液晶表示装置は、PointerGamutで規定された色の全てを再現できる、すなわち自然界に存在する色を忠実に再現することができ、画像の表現力をより高めることができる。
【００２５】
ｓＲＧＢの色再現範囲について詳しく見ると、PointerGamutを含まない領域は、大きく（１）Red-Yellow-Green領域（ｕ'ｖ'色度図における逆三角形の上辺部）、（２）Red-Magenta-Blue領域（ｕ'ｖ'色度図における逆三角形の右辺部）、（３）Green-Cyan-Blue領域（ｕ'ｖ'色度図における逆三角形の左辺部）、の３つに分けられる。ここで、上記特許文献１の映像表示装置を見ると、図２４に示したように、シアンを追加することによって上記（３）の領域を含むようになっている。ところが、シアン以外のＲ、Ｇ、Ｂの色をｓＲＧＢと同じに設定してあるため、上記（１）および（２）の領域は含まない。一方、本実施形態の液晶表示装置の色再現範囲は、上述の通り、PointerGamutの上記（１）および（２）の領域も含んでいるため、特許文献１の映像表示装置に比べてより鮮やかな色を再現できるのである。
【００２６】
ただし、本実施形態では、ｘｙ色度図上のｘ座標、ｙ座標の上限および下限、ｕ'ｖ'色度図上のｕ'座標、ｖ'座標の上限および下限を全て規定し、各色の座標値を図２、図３中の破線の４角形で囲まれる範囲とした。しかしながら、これら全てを規定しなくとも、ｘｙ色度図において、第１の色の座標がｘ≧０．６４３、第２の色の座標がｙ≧０．６０６、第３の色の座標がｘ≦０．１６４、第４の色の座標がｙ≦０．０５６を満足すれば、PointerGamutを含むことになり、上記の効果が得られる。同様に、ｕ’ｖ’色度図において、第１の色の座標がｕ’≧０．４５０、第２の色の座標がｖ’≧０．５６９、第３の色の座標がｕ’≦０．０７６、第４の色の座標がｖ’≦０．１４９を満足すれば、PointerGamutを含むことになり、上記の効果が得られる。
【００２７】
なお、PointerGamutは、ｕ’ｖ’色度図の図３でのみ図示し、ｘｙ色度図の図２では図示しなかった。その理由は、ｘｙ色度図は図上の距離が人間の知覚による差と一致しないことが知られており、色の包含関係を評価する場合には適さないからである。一方、ｕ'ｖ'色度図は、色度図の不均等性を改善するために定義されたものであって、色の包含関係を評価する場合に好適なものである。このため、PointerGamutはｕ’ｖ’色度図上でのみ示した。PointerGamutについて記載した論文での元データは、各色相について明度に応じた彩度が与えられているが、図３においては、各色相について、明度に関係なく最大彩度をプロットしている。また、ｕ’座標、ｖ’座標は、下の（１）式、（２）式に基づいてｘ座標、ｙ座標から求めることができる。
ｕ’＝４ｘ／（−２ｘ＋１２ｙ＋３）  …（１）
ｖ’＝９ｙ／（−２ｘ＋１２ｙ＋３）  …（２）
【００２８】
図２，図３において、Ｒ，Ｇ，Ｂ，Ｃの各色について、範囲を規定してｘｙ色度あるいはｕ'ｖ'色度を示した理由は、液晶表示装置を構成するカラーフィルターやバックライトの分光特性によって、各色のｘｙ色度あるいはｕ'ｖ'色度にある程度の自由度があるからである。そこで、以下では実施例として種々のカラーフィルター、バックライトの具体例を挙げ、そのカラーフィルター、バックライトの組み合わせを用いたときのｘｙ色度およびｕ'ｖ'色度を示すことにする。上記の範囲（下限、上限）は以下の５つの実施例に基づく値である。
【００２９】
［実施例１］
実施例１のカラーフィルター、バックライト、およびこれらを用いたときの第１ないし第４の各色のｘｙ色度、ｕ'ｖ'色度について図４〜図７に示す。図４はカラーフィルターの分光特性、図５はバックライトの分光特性、図６はｘｙ色度図、図７はｕ'ｖ'色度図をそれぞれ示している。図６，図７では、比較のため、ｓＲＧＢの色再現域についても示した。さらに、色の包含関係を確認するため、図７にはPointerGamutについても示した。周知の通り、液晶表示装置は、カラーフィルター、バックライト以外にも多くの部材から構成されているが、色再現性に大きく寄与するのはカラーフィルターとバックライトである。このため、ここではカラーフィルターとバックライトの分光特性のみを示した。
【００３０】
実施例１では、カラーフィルターとして、図４に示すように、第４の色の光に対するピーク波長が４００〜４９０ｎｍ、第３の色の光に対するピーク波長が４９０〜５２０ｎｍ、第２の色の光に対するピーク波長が５２０〜５７０ｎｍ、第１の色の光に対するピーク波長が６００ｎｍ以上の分光特性を有するものを用いた。また、バックライトとしては３色のＬＥＤを備えたものを用い、図５に示すように、各ＬＥＤのピーク波長は、青が４６０ｎｍ、緑が５４０ｎｍ、赤が６４０ｎｍであるものを用いた。
【００３１】
上記のカラーフィルターとバックライトを用いる設定でシミュレーションを行った結果、図６、図７で示したように、各色のｘｙ色度、ｕ'ｖ'色度が得られ（具体的な座標値は［表３］、［表４］を参照のこと）、各色を結ぶ４角形に示される色再現域が得られた。特に図７に示したように、実施例１の色再現域はPointerGamutのほぼ全てを含んでいる。このことから、ｓＲＧＢや特許文献１の映像表示装置に比べてより鮮やかな色を再現することができる。
【００３２】
【表３】
2007114295.tif 000005
【００３３】
【表４】
2007114295.tif 000006
【００３４】
［実施例２］
実施例２のカラーフィルター、バックライト、およびこれらを用いたときの第１ないし第４の各色のｘｙ色度、ｕ'ｖ'色度について図８〜図１１に示す。図８はカラーフィルターの分光特性、図９はバックライトの分光特性、図１０はｘｙ色度図、図１１はｕ'ｖ'色度図をそれぞれ示している。図１０，図１１では、比較のため、ｓＲＧＢの色再現域についても示した。さらに、色の包含関係を確認するため、図１１にはPointerGamutについても示した。
【００３５】
実施例２では、カラーフィルターは、図８に示すように、実施例１と同一のものを用いた。一方、バックライトは、実施例１と異なり、３色のピーク波長を有する蛍光管を備えたものを用いた。図９に示すように、各ピーク波長は、青色が４３５ｎｍ、緑色が５４５ｎｍ、赤色が６３０ｎｍであるものを用いた。
【００３６】
上記のカラーフィルターとバックライトを用いる設定でシミュレーションを行った結果、図１０、図１１で示したように、各色のｘｙ色度、ｕ'ｖ'色度が得られ（具体的な座標値は［表５］、［表６］を参照のこと）、各色を結ぶ４角形に示される色再現域が得られた。特に図１１に示したように、実施例２の色再現域はPointerGamutのほぼ全てを含んでいる。このことから、３色波長蛍光管タイプのバックライトを用いた場合も、ｓＲＧＢや特許文献１の映像表示装置に比べてより鮮やかな色を再現することができる。
【００３７】
【表５】
2007114295.tif 000007
【００３８】
【表６】
2007114295.tif 000008
【００３９】
［実施例３］
実施例３のカラーフィルター、バックライト、およびこれらを用いたときの第１ないし第４の各色のｘｙ色度、ｕ'ｖ'色度について図１２〜図１５に示す。図１２はカラーフィルターの分光特性、図１３はバックライトの分光特性、図１４はｘｙ色度図、図１５はｕ'ｖ'色度図をそれぞれ示している。図１４，図１５では、比較のため、ｓＲＧＢの色再現域についても示した。さらに、色の包含関係を確認するため、図１５にはPointerGamutについても示した。
【００４０】
実施例３では、カラーフィルターは、図１２に示すように、実施例１と同一のものを用いた。一方、バックライトは、実施例１と同様、３色のＬＥＤを備えたものを用いたが、実施例１とはピーク波長が異なるものを用いた。すなわち、図１３に示すように、各ＬＥＤのピーク波長は、青色が４６５ｎｍ、緑色が５２０ｎｍ、赤色が６３５ｎｍであるものを用いた（実施例１では４６０ｎｍ、５４０ｎｍ、６４０ｎｍ）。
【００４１】
上記のカラーフィルターとバックライトを用いる設定でシミュレーションを行った結果、図１４、図１５で示したように、各色のｘｙ色度、ｕ'ｖ'色度が得られ（具体的な座標値は［表７］、［表８］を参照のこと）、各色を結ぶ４角形に示される色再現域が得られた。特に図１５に示したように、実施例３の色再現域は、実施例１，２と比べて（１）Red-Yellow-Green領域（ｕ'ｖ'色度図における逆三角形の上辺部）が若干狭くなっている。しかしながら、ｓＲＧＢの色再現域と比べると、依然として（２）Red-Magenta-Blue領域（ｕ'ｖ'色度図における逆三角形の右辺部）、（３）Green-Cyan-Blue領域（ｕ'ｖ'色度図における逆三角形の左辺部）については、PointerGamutをより多く含んでいる。これらのことから、ピーク波長の異なる３色ＬＥＤタイプのバックライトを用いる（単体ＬＥＤを変更する）場合も、ｓＲＧＢや特許文献１の映像表示装置に比べてより鮮やかな色を再現することができる。
【００４２】
【表７】
2007114295.tif 000009
【００４３】
【表８】
2007114295.tif 000010
【００４４】
［実施例４］
実施例４のカラーフィルター、バックライト、およびこれらを用いたときの第１ないし第４の各色のｘｙ色度、ｕ'ｖ'色度について図１６〜図１９に示す。図１６はカラーフィルターの分光特性、図１７はバックライトの分光特性、図１８はｘｙ色度図、図１９はｕ'ｖ'色度図をそれぞれ示している。図１８，図１９では、比較のため、ｓＲＧＢの色再現域についても示した。さらに、色の包含関係を確認するため、図１９にはPointerGamutについても示した。
【００４５】
実施例４では、カラーフィルターは、図１６に示すように、実施例１と同一のものを用いた。一方、バックライトは、実施例２と同様、３色波長蛍光管タイプのものを用いたが、実施例２とはピーク波長が異なるものを用いた。すなわち、図１７に示すように、各ピーク波長は、青色が４３５ｎｍ、緑色が５４５ｎｍである点は実施例２と同様であるが、赤色が６１０ｎｍであるものを用いた（実施例２では赤色が６３０ｎｍであった）。
【００４６】
上記のカラーフィルターとバックライトを用いる設定でシミュレーションを行った結果、図１８、図１９で示したように、各色のｘｙ色度、ｕ'ｖ'色度が得られ（具体的な座標値は［表９］、［表１０］を参照のこと）、各色を結ぶ４角形で示される色再現域が得られた。特に図１９に示したように、実施例４の色再現域は、実施例１，２と比べて（２）Red-Magenta-Blue領域（ｕ'ｖ'色度図における逆三角形の右辺部）が若干狭くなっている。また、第２の色を見ると、ｓＲＧＢのGreenを含んでいない。これらは、実施例４において設定したカラーフィルターとバックライトの分光特性に起因する。しかしながら、PointerGamutを含むか否かという視点で見ると、（１）Red-Yellow-Green領域（ｕ'ｖ'色度図における逆三角形の上辺部）、（３）Green-Cyan-Blue領域（ｕ'ｖ'色度図における逆三角形の左辺部）のいずれについても、ｓＲＧＢの色再現域に比べて、PointerGamutをより多く含んでいる。これらのことから、ピーク波長の異なる３色波長蛍光管タイプのバックライトを用いる（蛍光材料を変更する）場合も、ｓＲＧＢや特許文献１の映像表示装置に比べて、PointerGamutに規定された色をより忠実に再現することができる。
【００４７】
【表９】
2007114295.tif 000011
【００４８】
【表１０】
2007114295.tif 000012
【００４９】
［実施例５］
実施例５のカラーフィルター、バックライト、およびこれらを用いたときの第１ないし第４の各色のｘｙ色度、ｕ'ｖ'色度について図２０〜図２３に示す。図２０はカラーフィルターの分光特性、図２１はバックライトの分光特性、図２２はｘｙ色度図、図２３はｕ'ｖ'色度図をそれぞれ示している。図２２，図２３では、比較のため、ｓＲＧＢの色再現域についても示した。さらに、色の包含関係を確認するため、図２３にはPointerGamutについても示した。
【００５０】
実施例５では、バックライトは、図２１に示すように、実施例４と同一のものを用いた。一方、カラーフィルターについては、実施例１〜４とは異なるものを用いた。すなわち、図２０に示すように、第４の色の特性が実施例１〜４と異なっており、ピークが長波長側（４６０ｎｍ程度）にシフトするとともに、透過率が向上している。カラーフィルターの特性が異なるのは、添加色材が異なることによる。
【００５１】
上記のカラーフィルターとバックライトを用いる設定でシミュレーションを行った結果、図２２、図２３で示したように、各色のｘｙ色度、ｕ'ｖ'色度が得られ（具体的な座標値は［表１１］、［表１２］を参照のこと）、各色を結ぶ４角形で示される色再現域が得られた。特に図２３に示したように、実施例５の色再現域は、実施例１，２と比べて（２）Red-Magenta-Blue領域（ｕ'ｖ'色度図における逆三角形の右辺部）がｓＲＧＢと同等となっている。また、第２の色を見ると、ｓＲＧＢのGreenを含んでいない。これらは、実施例５において設定したカラーフィルターとバックライトの分光特性に起因する。しかしながら、PointerGamutを含むか否かという視点で見ると、（２）Red-Magenta-Blue領域がｓＲＧＢと同等となっているものの、（１）Red-Yellow-Green領域（ｕ'ｖ'色度図における逆三角形の上辺部）、（３）Green-Cyan-Blue領域（ｕ'ｖ'色度図における逆三角形の左辺部）については、ｓＲＧＢの色再現域に比べて、PointerGamutをより多く含んでいる。これらのことから、カラーフィルターを変更した場合も、ｓＲＧＢや特許文献１の映像表示装置に比べて、PointerGamutに規定された色をより忠実に再現することができる。
【００５２】
【表１１】
2007114295.tif 000013
【００５３】
【表１２】
2007114295.tif 000014
【００５４】
［実施例６］
実施例６のカラーフィルター、バックライト、およびこれらを用いたときの第１ないし第４の各色のｘｙ色度、ｕ'ｖ'色度について図２６〜図２９に示す。図２６はカラーフィルターの分光特性、図２７はバックライトの分光特性、図２８はｘｙ色度図、図２９はｕ'ｖ'色度図をそれぞれ示している。図２８，図２９では、比較のため、ｓＲＧＢの色再現域についても示した。さらに、色の包含関係を確認するため、図２９にはPointerGamutについても示した。
【００５５】
実施例６では、バックライトとして波長変換を伴うものを用いた。すなわち、図２７に示すように、元々のピーク波長が４５０ｎｍである光を蛍光体に照射することによって、ピーク波長４５０ｎｍの光の一部をピーク波長５６５ｎｍの比較的ブロードな輝度分布の光に変換したものである。結果的には、変換前の４５０ｎｍのピーク波長と変換後の５６５ｎｍのピーク波長の双方を持つことになる。一方、カラーフィルターについては、実施例１〜５とは異なるものを用いた。すなわち、図２６に示すように、第４の色の透過率が他の実施例より高く、第３の色とほぼ同等となっている。カラーフィルターの特性が異なるのは添加色材が異なることによる。
【００５６】
上記のカラーフィルターとバックライトを用いる設定でシミュレーションを行った結果、図２８、図２９で示したように、各色のｘｙ色度、ｕ'ｖ'色度が得られ（具体的な座標値は［表１３］、［表１４］を参照のこと）、各色を結ぶ４角形で示される色再現域が得られた。特に図２９に示したように、実施例６の色再現域は、ｓＲＧＢを含み、さらにRed-Magenta-Blue領域のわずかな部分を除いてPointerGamutをほぼ含んでいる。これらのことから、波長変換を伴うバックライトを用いた場合も、ｓＲＧＢや特許文献１の映像表示装置に比べて、PointerGamutに規定された色をより忠実に再現することができる。
【００５７】
【表１３】
2007114295.tif 000015
【００５８】
【表１４】
2007114295.tif 000016
【００５９】
なお、本実施形態においては、ｘｙ色度において、第１の色が、０．６４３≦ｘ，ｙ≦０．３３３であれば良く、好ましくは、０．６４３≦ｘ≦０．６９０，０．２９９≦ｙ≦０．３３３にあれば良い。また、第２の色が、０．２５７≦ｘ，０．６０６≦ｙであれば良く、好ましくは、０．２５７≦ｘ≦０．３５７，０．６０６≦ｙ≦０．６７０にあれば良い。また、第３の色が、ｘ≦０．１６４，０．４５３≦ｙであれば良く、好ましくは、０．０９８≦ｘ≦０．１６４，０．４５３≦ｙ≦０．７５９にあれば良い。また、第４の色が、ｘ≦０．１５１、ｙ≦０．０５６であれば良く、好ましくは、０．１３４≦ｘ≦０．１５１、０．０３４≦ｙ≦０．０５６にあれば良い。
さらに、ｕ’ｖ’色度において、第１の色が、０．４５０≦ｕ’であれば良く、好ましくは、０．４５０≦ｕ’≦０．５３０、０．５１７≦ｖ’≦０．５２５であれば良い。また、第２の色が、０．５６９≦ｖ’であれば良く、好ましくは、０．１００≦ｕ’≦０．１５０、０．５６９≦ｖ’≦  ０．５７７にあれば良い。また、第３の色が、ｕ’≦０．０７６であれば良く、好ましくは、０．０４０≦ｕ’≦０．０７６、０．４９９≦ｖ’≦  ０．５７６にあれば良い。また、第４の色が、ｖ’≦０．１４９であれば良く、好ましくは、０．１５８≦ｕ’≦０．１９４、０．０９９≦ｖ’≦０．１４９であれば良い。
【００６０】
［第２の実施形態］
以下、本発明の第２の実施形態を図３０を参照して説明する。
本実施形態では、ＴＦＴ素子をスイッチング素子に用いたアクティブマトリクス方式のボトムエミッション型の有機ＥＬ装置への本発明の適用例を示す。
図３０は本実施形態の有機ＥＬ装置の全体構成を示す断面図である。
本実施形態の有機ＥＬ装置２０は、図３０に示すように、ガラス基板２１と、ガラス基板２１上に形成されたＴＦＴ素子２２および発光部２３と、封止基板２４とから概略構成されている。具体的には、ガラス基板２１上にＴＦＴ素子２２が形成され、ＴＦＴ素子２２が絶縁膜２５で覆われている。絶縁膜２５上には無機絶縁膜からなる第１隔壁層２６、有機絶縁膜からなる第２隔壁層２７がサブ画素間に積層されており、ガラス基板２１上には、これら第１，第２隔壁層２６，２７によってカラー画素を構成する複数のサブ画素がマトリクス状に区画されている。これら第１，第２隔壁層２６，２７は、後述する正孔注入／輸送層、白色発光層等の有機機能層をインクジェット法等の液滴吐出法で形成するのに好適である。
【００６１】
各サブ画素内においては、カラーフィルターを構成する異なる色の着色部が形成されている。図３０においては、第１ないし第４の色の例として、カラーフィルター２８が、赤色着色部２８Ｒ，緑色着色部２８Ｇ，青色着色部２８Ｂ，シアン色着色部２８Ｃの４色の着色部を各サブ画素毎に有しており、Ｒ，Ｇ，Ｂ，Ｃの４つのサブ画素で１つの画素を構成している。すなわち、赤（Ｒ）、緑（Ｇ）、青（Ｂ）、シアン（Ｃ）からなる４色の色光の加法混色によってカラー表示の色再現を行っている。したがって、本実施形態の有機ＥＬ装置２０は、Ｒ，Ｇ，Ｂの３色でカラー表示を行うものに比べて色再現範囲の広いものとなっている。そして、絶縁膜２５およびカラーフィルター２８を貫通するコンタクトホールによってＴＦＴ素子２２と電気的に接続された画素電極２９（陽極）が形成されている。
【００６２】
各画素電極２９上には、ともに有機材料からなる正孔注入／輸送層３０、白色発光層３１が順次積層され、さらに白色発光層３１の上部にはアルミニウム等の金属膜からなる共通電極３２（陰極）が形成されている。本実施形態の場合、全てのサブ画素の白色発光層３１が白色光を発光可能な同一の有機材料によって形成されている。正孔注入／輸送層３０の形成材料としては、ポリチオフェン、ポリスチレンスルホン酸、ポリピロール、ポリアニリンおよびこの誘導体などの高分子材料を好適に用いることができる。白色発光層３１の形成材料（発光材料）としては、高分子発光体や低分子の有機発光色素、すなわち各種の蛍光物質や燐光物質などの発光物質が使用可能である。発光物質となる共役系高分子の中では、アリーレンビニレンまたはポリフルオレン構造を含むものなどが特に好ましい。白色発光層３１をインクジェット法（液滴吐出法）で形成する場合、発光材料として高分子材料を用いることが望ましく、例えばポリジオクチルフルオレン（ＰＦＯ）とＭＥＨ−ＰＰＶとを９：１の割合で混合したものを好適に用いることができる。なお、本実施形態では発光部２３を上記２層の積層構造としたが、発光層の上に必要に応じて電子輸送層や電子注入層等を設けてもよい。
【００６３】
このように構成されたガラス基板２１の表面が封止層３３によって覆われ、さらに封止基板２４によって封止されている。封止層３３の材料としてはガスバリア性を有するものが好ましく、例えばシリコン酸化物やシリコン窒化物、あるいはシリコン酸窒化物を好適に用いることができる。封止基板２４にはガラス等を用いることができる。
【００６４】
なお、本実施形態における白色発光層３１として別々の有機材料を形成することも勿論可能であり、さらには発光層の厚みを各サブ画素毎に変化させるとともに画素電極２９（陽極）を半透過構造とし、画素電極２９（陽極）−共通電極３２（陰極）間の光共振器構造を利用して、光路長差による発光特性制御を行う構成を採用してもよい。また、本実施形態には図示しなかったが、カラーフィルターおよび発光層を用いた同様の構成に関して、アクティブマトリクス方式のトップエミッション型の有機ＥＬ装置において実現することも勿論可能である。
【００６５】
［実施例７］
実施例７のカラーフィルター、有機ＥＬ装置の分光特性、およびこれらを用いたときの第１ないし第４の各色のｘｙ色度、ｕ’ｖ’色度について図３１〜図３４に示す。なお、図３０においては、第１ないし第４の色を赤（Ｒ）、緑（Ｇ）、シアン（Ｃ）、青（Ｂ）として説明したが、以下の各図及び各表においては、第１ないし第４の色は赤（Ｒ）、緑（Ｇ）、シアン（Ｃ）、青（Ｂ）に限定されるものではなく、その他の色も含むものである。図３１はカラーフィルターの分光特性、図３２は有機ＥＬ装置（白色発光層）の分光特性、図３３はｘｙ色度図、図３４はｕ’ｖ’色度図をそれぞれ示している。図３３，図３４では比較のため、ｓＲＧＢの色再現域についても示した。さらに、色の包含関係を確認するため、図３４にはPointerGamutについても示した。
【００６６】
上記のカラーフィルターと白色発光層を用いる設定でシミュレーションを行った結果、図３３、図３４で示したように、各色のｘｙ色度、ｕ’ｖ’色度が得られ（具体的な座標値は［表１５］、［表１６］を参照のこと）、各色を結ぶ４角形で示される色再現域が得られた。特に図３４に示したように、実施例７の色再現域は、液晶を用いた実施例１〜６に比べて十分に広く、ｓＲＧＢを含み、さらにPointerGamutをも含んでいる。これらのことから、有機ＥＬ装置を用いた場合も、ｓＲＧＢや特許文献１の映像表示装置に比べて、PointerGamutに規定された色をより忠実に再現することができる。
【００６７】
【表１５】
2007114295.tif 000017
【００６８】
【表１６】
2007114295.tif 000018
【００６９】
［第３の実施形態］
以下、本発明の第３の実施形態を図３５を参照して説明する。
本実施形態も第２の実施形態と同様、ＴＦＴ素子をスイッチング素子に用いたアクティブマトリクス方式のボトムエミッション型の有機ＥＬ装置への本発明の応用例である。
図３５は本実施形態の有機ＥＬ装置の全体構成を示す断面図である。本実施形態の有機ＥＬ装置の基本構成は第２の実施形態と同様であるが、全てのサブ画素に白色発光層を設ける構成に代えて、各サブ画素毎に異なる色の光を発光する発光層を設けた点のみが第２の実施形態と異なっている。したがって、図３５において図３０と共通の構成要素には同一の符号を付し、詳細な説明は省略する。
【００７０】
本実施形態の有機ＥＬ装置４０の場合、図３５に示すように、各サブ画素毎に異なる色の光を発光する発光層が形成されている。なお、図３５においては、第１ないし第４の色の例として、赤色発光層３１Ｒ，緑色発光層３１Ｇ，青色発光層３１Ｂ，緑色発光層３１Ｇが形成されている。例えば図３５の左側のサブ画素から右側のサブ画素に向けて、赤色発光層３１Ｒ，緑色発光層３１Ｇ，青色発光層３１Ｂ，緑色発光層３１Ｇの４色の着色部が形成されている。２番目と４番目の緑色発光層３１Ｇは、材料や膜厚等が同じものでもよいし、違うものでもよい。例えば各発光層の材料としては、赤色発光層３１Ｒにシアノピリフェニレンビニレン、緑色発光層３１Ｇおよび青色発光層３１Ｂにポリフェニレンビニレンなどを用いることができる。そして、各サブ画素内においては、カラーフィルターを構成する異なる色の着色部が形成されている。カラーフィルター側は第２の実施形態と同様である。すなわち、図３５の左側のサブ画素から右側のサブ画素に向けて、赤色着色部２８Ｒ，緑色着色部２８Ｇ，青色着色部２８Ｂ，シアン色着色部２８Ｃの４色の着色部を各サブ画素毎に有しており、Ｒ，Ｇ，Ｂ，Ｃの４つのサブ画素で１つの画素を構成している。
【００７１】
すなわち、図３５の左側から、発光部２３の赤色発光層３１Ｒにカラーフィルター２８の赤色着色部２８Ｒが、緑色発光層３１Ｇに緑色着色部２８Ｇが、青色発光層３１Ｂに青色着色部２８Ｂが、緑色発光層３１Ｇにシアン色着色部２８Ｃがそれぞれ対応しており、結果的には赤（Ｒ）、緑（Ｇ）、青（Ｂ）、シアン（Ｃ）からなる４色の色光の加法混色によってカラー表示の色再現を行っている。したがって、本実施形態の有機ＥＬ装置４０は、Ｒ，Ｇ，Ｂの３色でカラー表示を行うものに比べて色再現範囲の広いものとなっている。
【００７２】
［実施例８］
実施例８のカラーフィルター、有機ＥＬ装置の分光特性、およびこれらを用いたときの第１ないし第４の各色のｘｙ色度、ｕ’ｖ’色度について図３６〜図３９に示す。なお、図３５においては、第１ないし第４の色を赤（Ｒ）、緑（Ｇ）、シアン（Ｃ）、青（Ｂ）として説明したが、以下の各図及び各表においては、第１ないし第４の色は赤（Ｒ）、緑（Ｇ）、シアン（Ｃ）、青（Ｂ）に限定されるものではなく、その他の色も含むものである。図３６はカラーフィルターの分光特性、図３７は有機ＥＬ装置（各色発光層）の分光特性、図３８はｘｙ色度図、図３９はｕ’ｖ’色度図をそれぞれ示している。図３８，図３９では比較のため、ｓＲＧＢの色再現域についても示した。さらに、色の包含関係を確認するため、図３９にはPointerGamutについても示した。
【００７３】
実施例８では、図３７に示すように、青色発光層から発光される光のピーク波長が４５５ｎｍ、緑色発光層から発光される光のピーク波長が５３０ｎｍ、赤色発光層から発光される光のピーク波長が６５０ｎｍであるものを用いた。４つのサブ画素で構成される１つの単位画素全体で見ると、破線のような輝度分布を示している。全体の輝度分布について、他の色に比べて緑色光のピーク輝度が大きくなっているのは、上記実施形態で述べたように、１つの単位画素の中に２つの緑色発光層を持っているからである。一方、カラーフィルターについては、実施例７と同じものを用いた。
【００７４】
上記のカラーフィルターと各色発光層を用いる設定でシミュレーションを行った結果、図３８、図３９で示したように、各色のｘｙ色度、ｕ’ｖ’色度が得られ（具体的な座標値は［表１７］、［表１８］を参照のこと）、各色を結ぶ４角形で示される色再現域が得られた。特に図３９に示したように、実施例８の色再現域は、液晶を用いた実施例１〜６に比べて十分に広く、ｓＲＧＢを含み、さらにPointerGamutをも含んでいる。これらのことから、有機ＥＬ装置を用いた場合も、ｓＲＧＢや特許文献１の映像表示装置に比べて、PointerGamutに規定された色をより忠実に再現することができる。
【００７５】
【表１７】
2007114295.tif 000019
【００７６】
【表１８】
2007114295.tif 000020
【００７７】
［第４の実施形態］
次に、図４０及び図４１を参照して、添付図面を参照して本発明の第４の実施形態について詳細に説明する。なお、本実施形態においては、本発明の趣旨を逸脱しない範囲で上述の各実施形態及び各実施例と適宜組み合わせることが可能である。
【００７８】
まず、液晶表示装置１００の構成等について説明する。なお、図４０及び図４１では、第１ないし第４の色の例として、カラーフィルターがＲ（赤）、Ｂ（青）、Ｇ（緑）及びＣ（シアン）の４色を有する透過型の液晶表示装置を例にとって説明するが、第１ないし第４の色はＲ（赤）、Ｂ（青）、Ｇ（緑）及びＣ（シアン）に限定されるものではなく、その他の色であっても良い。
図４０は、本実施形態に係る液晶表示装置１００の概略構成を模式的に示す断面図である。図４０では、観察側にカラーフィルター基板１９２が、また、液晶層４を挟んでカラーフィルター基板１９２とは反対側に素子基板１９１が夫々配置されている。また、図４０において、Ｒ、Ｇ、Ｂ、Ｃの各色に対応する領域は１つのサブ画素ＳＧを示しており、Ｒ、Ｇ、Ｂ、Ｃに対応する１行４列の画素配列は、１つの画素ＡＧを示している。
【００７９】
液晶表示装置１００は、素子基板１９１と、その素子基板１９１に対向して配置されるカラーフィルター基板１９２とが枠状のシール材５を介して貼り合わされ、そのシール材５の内側に、例えば、ＴＮ（Twisted Nematic）型の液晶が封入されて液晶層４が形成されてなる。
【００８０】
ここに、液晶表示装置１００は、Ｒ、Ｇ、Ｂ、Ｃの４色を用いて構成されるカラー表示用の液晶表示装置であると共に、スイッチング素子としてａ−Ｓｉ型のＴＦＴ（Thin Film Transistor）素子を用いたアクティブマトリクス型の液晶表示装置である。また、液晶表示装置１００は、透過型の液晶表示装置である。
【００８１】
まず、素子基板１９１の平面構成について説明する。素子基板１９１の上には、主として、複数のデータ線１３２、複数の走査線３３ｂ、複数のＴＦＴ素子１２１、複数の画素電極１０などが形成されている。
【００８２】
各データ線１３２と各走査線３３ｂの交差位置付近にはＴＦＴ素子１２１が対応して設けられており、各ＴＦＴ素子１２１は各データ線１３２、各走査線３３ｂ及び各画素電極１０等に電気的に接続されている。各ＴＦＴ素子１２１及び各画素電極１０は、各サブ画素ＳＧに対応する位置に設けられている。各画素電極１０は、例えばＩＴＯ（Indium-Tin Oxide）などの透明導電材料により形成されている。
【００８３】
１つの画素ＡＧが複数個、マトリクス状に並べられた領域が有効表示領域Ｖである。この有効表示領域Ｖに、文字、数字、図形等の画像が表示される。なお、有効表示領域Ｖの外側の領域は表示に寄与しない額縁領域３８となっている。また、各データ線１３２、各走査線３３ｂ、各ＴＦＴ素子１２１、及び各画素電極１０等の上には、配向膜１７が形成されている。
【００８４】
次に、カラーフィルター基板１９２の平面構成について説明する。カラーフィルター基板１９２は、遮光層ＢＭ、Ｒ、Ｇ、Ｂ、Ｃの４色の着色部６Ｒ、６Ｇ、６Ｂ、６Ｃ及び共通電極８などを有する。なお、以下の説明において、色を問わずに指す場合は単に「カラーフィルター６」と記し、色を区別して指す場合は「着色部６Ｒ」などと記す。ＢＭは、各サブ画素ＳＧを区画する位置に形成されている。共通電極８は、画素電極と同様にＩＴＯなどの透明導電材料からなり、カラーフィルター基板１９２の略一面に亘って形成されている。共通電極８は、シール材５の隅の領域において配線の一端側と電気的に接続されていると共に、当該配線の他端側は、ドライバＩＣのＣＯＭに対応する出力端子（接地用端子）と電気的に接続されている。
【００８５】
次に、図４０を参照して、液晶表示装置１００の断面構成について説明する。図４０は、特に、Ｒ、Ｇ、Ｃ、Ｂの各色のカラーフィルター６を通る位置で切断した断面図である。なお、図４０中のＢ’−Ｂ間には、図示が省略された複数のサブ画素ＳＧ及び画素ＡＧが、各着色部６Ｒ、６Ｇ、６Ｂ、６Ｃに対応するサブ画素ＳＧ及び画素ＡＧと同様に形成されている。
【００８６】
素子基板１９１の基板本体１は、ガラスや石英等の絶縁性を有する材料にて形成されている。基板本体１の上には、サブ画素ＳＧ毎に画素電極１０が形成されている。基板本体１上であって、各画素電極１０の縁の近傍位置には、データ線１３２が形成されている。各画素電極１０は、ＴＦＴ素子１２１を介して、対応する各データ線１３２に電気的に接続されている。基板本体１、画素電極１０、ＴＦＴ素子１２１、及びデータ線１３２の上方には、ポリイミド膜等よりなる配向膜１７が形成されており、その配向膜１７は所定の方向にラビング処理が施されている。また、基板本体１の液晶層４側とは反対側には偏光板１１１が配置されていると共に、偏光板１１１の基板本体１とは反対側には、照明装置としてのバックライト１１５が配置されている。バックライト１１５は、例えば、ＬＥＤ（Light Emitting Diode）等といった点状光源や、冷陰極蛍光管等といった線状光源と導光板を組み合わせたものなどが好適である。
【００８７】
一方、基板本体２の上には、サブ画素ＳＧ毎に、Ｒ、Ｇ、Ｂ、Ｃの４色のいずれかからなるカラーフィルター６がＲＧＣＢＲＧＣＢ・・・の配列順序でストライプ状に設けられている。そして、各着色部６Ｒ、６Ｇ、６Ｃ及び６Ｂは、対応する各画素電極１０と対向している。また、基板本体２上であって、各着色部６Ｒ、６Ｇ、６Ｃ及び６Ｂを区画する位置には、隣接するサブ画素ＳＧを隔て、一方のサブ画素ＳＧから他方のサブ画素ＳＧへの光の混入を防止するため遮光層ＢＭが形成されている。カラーフィルター６及び遮光層ＢＭ等の上には、アクリル樹脂等からなるオーバーコート層１９が形成されている。このオーバーコート層１９は、液晶表示装置１００の製造工程中に使用される薬剤等による腐食や汚染から、カラーフィルター６等を保護する機能を有している。オーバーコート層１９の上には、ＩＴＯ等からなる共通電極８が形成されている。共通電極８上の所定位置には、フォトスペーサ１２２が設けられている。なお、フォトスペーサ１２２は、一般的に、柱状スペーサ、貝柱又はリブなどと称されることもある。共通電極８及びフォトスペーサ１２２の上には、ポリイミド膜等よりなる配向膜１２０が形成されており、その配向膜は所定の方向にラビング処理が施されている。また、基板本体２の液晶層４とは反対側には、偏光板１１２が配置されている。また、基板本体１と基板本体２とはシール材５を介して対向しており、その両基板の間には液晶が封入され液晶層４が形成されている。また、この液晶表示装置１００では、フォトスペーサ１２２によって液晶層４が一定の厚さに規定されている。
【００８８】
以上の構成を有する液晶表示装置１００において透過表示がなされる場合、バックライト１１５から出射した照明光は、図４０に示す経路Ｔに沿って進行し、画素電極１０及びＲ、Ｇ、Ｃ、Ｂの各着色部６Ｒ、６Ｇ、６Ｃ及び６Ｂ等を通過して観察者に至る。この場合、その照明光は、そのカラーフィルター６等を透過することにより所定の色相及び明るさを呈する。こうして、所望のカラー表示画像が観察者により視認される。特に、この液晶表示装置１００では、Ｒ、Ｇ、Ｃ、Ｂの４色を用いて構成されているので、人間の視感度が高いＧの色の光の輝度の低下が抑制され、また、いわゆるＣＩＥ色度図において、Ｒ、Ｇ、Ｂの３色にて構成される液晶表示装置と比較して、色再現範囲（色度域）が大きくなっている。
【００８９】
次に、図４１について説明する。図４１は、カラーフィルター基板１９２における、２画素分に対応する平面的なレイアウトを示す部分平面図である。なお、図４１では、カラーフィルター基板１９２の各要素と、素子基板１９１の各要素との相対的な位置関係を理解し易くするため、素子基板１９１側に設けられる画素電極１０、ＴＦＴ素子１２１、データ線１３２及び走査線３３ｂも示す。
【００９０】
まず、カラーフィルター基板１９２の平面的な構成について説明する。
【００９１】
基板本体２上には、サブ画素ＳＧ毎に、各着色部６Ｒ、６Ｇ、６Ｃ及び６Ｂからなるカラーフィルター６が設けられている。カラーフィルター６は、１つの画素ＡＧ毎に、Ｘ方向に向かって、着色部６Ｒ、６Ｇ、６Ｃ及び６Ｂの配列順序でストライプ状に配置されている。この着色部６Ｒ、６Ｇ、６Ｃ及び６Ｂの４色によりカラー表示の最小単位となるカラー１画素分が構成される。各着色部６Ｒ、６Ｇ、６Ｃ及び６Ｂを区画する位置には遮光層ＢＭが配置されている。各着色部６Ｒ、６Ｇ、６Ｃ及び６Ｂ及び遮光層ＢＭ上にはオーバーコート層１９が設けられていると共に、オーバーコート層１９上には、その一面に亘って共通電極８が設けられている。共通電極８上であって、着色部６Ｃに対応するサブ画素ＳＧのＴＦＴ素子１２１の近傍位置には、柱状の形状を有するフォトスペーサ１２２が形成されている。フォトスペーサ１２２は、この液晶表示装置１００の製造過程において、共通電極８上にアクリル樹脂又はポリイミド樹脂等の有機絶縁膜を塗布した後に、その膜に対してフォトリソグラフィー技術を用いて露光及び現像等することにより所望の位置に且つ所望の形状に形成することができる。フォトスペーサ１２２を円柱状の形状に形成する場合には、その直径は約１０〜２０μｍに、また、その高さは約３〜６μｍに設定されるのが好ましい。なお、フォトスペーサ１２２と、素子基板１９１の主要な要素との相対的な位置関係については後述する。共通電極８上及びフォトスペーサ１２２の表面上には、ラビング処理が施された配向膜１２０が設けられている。なお、ラビング処理の方法は周知の各種の方法を採用することができる。
【００９２】
続いて、カラーフィルター基板１９２の主要な要素と、素子基板１９１の主要な要素との平面的な位置関係について説明する。
【００９３】
素子基板１９１において、各着色部６Ｒ、６Ｇ、６Ｃ及び６Ｂに対応する位置には、画素電極１０が配置されている。また、素子基板１９１において、Ｘ方向に相隣接する各着色部６Ｒ、６Ｇ、６Ｃ及び６Ｂの間には、Ｙ方向に延在するようにデータ線１３２が配置されている。このため、各データ線１３２は遮光層ＢＭと平面的に重なり合っている。さらに、素子基板１９１において、Ｙ方向に相隣接する各着色部６Ｒ、６Ｇ、６Ｃ及び６Ｂの間には、Ｘ方向に延在するように走査線３３ｂが配置されている。このため、各走査線３３ｂは遮光層ＢＭと平面的に重なり合っている。また、素子基板１９１において、ＴＦＴ素子１２１は、各着色部６Ｒ、６Ｇ、６Ｃ及び６Ｂの隅に対応する位置に設けられている。フォトスペーサ１２２は、カラーフィルター基板１９２側において、Ｃ（シアン）の着色部６Ｃに対応する画素電極１０の隅に対応する位置近傍に、且つ、データ線１３２と走査線３３ｂとの交差位置に対応する位置に設けられている。
【００９４】
ここで、各着色部６Ｒ、６Ｇ、６Ｃ及び６Ｂに対応する各サブ画素ＳＧにおいて、複数のデータ線１３２が配列する方向であるＸ方向の幅は、サブ画素ＳＧ毎に等しいことが好ましい。換言すれば、各サブ画素ＳＧにおける短手方向の幅が等しいことが好ましい。また、複数の走査線３３ｂが配列する方向であるＹ方向の幅が、サブ画素ＳＧ毎に等しいことが好ましい。換言すれば、各サブ画素ＳＧにおける長手方向の幅が等しいことが好ましい。なお、この説明においては、各サブ画素ＳＧの対応する色をそれぞれＲ（赤）、Ｂ（青）、Ｇ（緑）及びＣ（シアン）の４色の例をあげて説明するが、各着色部は後述する青緑、黄、深緑、エメラルド、黄緑等の色相に対応するものとしても良い。
【００９５】
各着色部６Ｒ、６Ｇ、６Ｃ及び６Ｂに対応する各サブ画素ＳＧにおけるいずれかの色に対応するサブ画素ＳＧにおいて、短手方向又は長手方向の幅が他の色に対応するサブ画素ＳＧと異なるように構成すると、それぞれの短手方向又は長手方向から観察した場合に、幅の狭い色に対応するサブ画素ＳＧだけが暗く表示されてしまう。そのため、所望の表示特性を得ることが困難であるという不具合がある。また、所定の画素のみ他の画素とは異なる幅で形成することは製造プロセス上困難であるという問題がある。その点、短手方向又は長手方向の幅を他の色に対応するサブ画素ＳＧと等しく構成すると、それぞれの短手方向又は長手方向から観察した場合に、全ての色に対応するサブ画素ＳＧを略均等な明るさで表示することができ、また、製造プロセスも簡便となる。そのため、上記のような問題は生じない。なお、短手方向又は長手方向のいずれの方向の幅を等しくするかは、表示装置においていずれの方向から主に観察されるのかに応じて適宜選択することができる。
【００９６】
また、各着色部６Ｒ、６Ｇ、６Ｃ及び６Ｂの全ての色に対応するサブ画素ＳＧにおいて、短手方向及び長手方向の幅が等しいことがより好ましい。この様に構成することで、それぞれの短手方向及び長手方向のいずれの方向から観察した場合でも、表示品位が低下することが無く、製造プロセスも簡便となる。
【００９７】
また、各着色部６Ｒ、６Ｇ、６Ｃ及び６Ｂの全ての色に対応するサブ画素ＳＧにおいて、サブ画素ＳＧ内の各着色部部６Ｒ、６Ｇ、６Ｃ及び６Ｂの面積が等しいことがさらに好ましい。この様に構成することで、それぞれの短手方向及び長手方向のいずれの方向から観察した場合でも、表示品位が低下することが無く、製造プロセスも簡便となる。
【００９８】
また、各着色部６Ｒ、６Ｇ、６Ｃ及び６Ｂに対応するサブ画素ＳＧにおいて、サブ画素ＳＧ内の各着色部部６Ｒ、６Ｇ、６Ｃ及び６Ｂの幅や面積は、サブ画素同士の間に形成された遮光層ＢＭによって規定されることが好ましい。この様に構成することにより簡便且つ正確に、全ての色に対応するサブ画素ＳＧの幅や面積を、サブ画素毎に等しく形成することができる。
【００９９】
なお、本実施形態においては、サブ画素同士の間に形成された遮光層ＢＭの幅をそれぞれ等しいものとして形成したが、全ての色に対応するサブ画素ＳＧの各着色部の幅や面積を等しく形成するために、遮光層ＢＭの幅を異ならせても良い。この様に構成することにより遮光層ＢＭの幅を異ならせるのみで、全ての色に対応するサブ画素ＳＧの各着色部の幅や面積を、サブ画素毎に等しく形成することができる。
【０１００】
また、本発明においては、サブ画素同士の間に形成された遮光層ＢＭは、カラーフィルター基板１９２の側に設けられる構成に限定されるものではない。例えば、遮光層ＢＭが素子基板１９１側に設けられる構成や、カラーフィルター基板１９２及び素子基板１９１のそれぞれに形成された遮光層を遮光層ＢＭとして用いても上述の効果を奏するができる。
【０１０１】
また、サブ画素同士の間に形成された遮光層ＢＭの材料は、黒色樹脂層、カラーフィルター６と同時形成された異なる色の着色層の積層構造、金属層等の遮光できる構成であればいずれの構成も適用できる。さらに、遮光層ＢＭを設けずに又は遮光層ＢＭと共に、データ線１３２及び／又は走査線３３ｂを遮光層として用いても良い。データ線１３２及び／又は走査線３３ｂを遮光層として用いることにより、別途遮光層を形成する必要がなくなり、工程数及び製造コストを低減させることができる。
【０１０２】
なお、上述の説明においては、第１ないし第４の色の例として、Ｒ（赤）、Ｂ（青）、Ｇ（緑）及びＣ（シアン）の４色の例をあげて説明したが、各サブ画素に対応する色を後述する青緑、黄、深緑、エメラルド、黄緑等の色相としても良い。本発明において、各サブ画素に対応する色は表示装置に求められる特性に応じて、所定の範囲の色の中から選択できるものである。
【０１０３】
以下、本発明における各サブ画素に対応する着色領域について説明する。なお、ここで着色領域とは、例えば、カラーフィルターにおいては、異なる複数の色に対応した複数の着色部である。
【０１０４】
各着色領域は４色の着色領域で１画素を構成する。４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色部で構成されても良いし、複数の異なる色相の着色部を重ねて構成されても良い。また、これら着色領域は色相で述べているが、当該色相は、彩度、明度を適宜変更し、色を設定し得るものである。
【０１０５】
具体的な色相の範囲は、青系の色相の着色領域は、青紫から青緑であり、より好ましくは藍から青である。赤系の色相の着色領域は、橙から赤である。青から黄までの色相で選択される一方の着色領域は、青から緑であり、より好ましくは青緑から緑である。青から黄までの色相で選択される他方の着色領域は、緑から橙であり、より好ましくは緑から黄である。もしくは緑から黄緑である。ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。これにより、従来のＲ，Ｇ，Ｂの着色領域よりも広範囲の色再現性を実現することができる。
【０１０６】
広範囲の色再現性を色相で述べたが、以下に、着色領域を透過した光の波長で表現する。青系の着色領域は、該領域を透過した光の波長のピークが４１５−５００ｎｍにある着色領域であり、好ましくは、４３５−４８５ｎｍにある着色領域である。赤系の着色領域は、該領域を透過した光の波長のピークが６００ｎｍ以上にある着色領域であり、好ましくは、６０５ｎｍ以上にある着色領域である。青から黄までの色相で選択される一方の着色領域は、該領域を透過した光の波長のピークが４８５−５３５ｎｍにある着色領域であり、好ましくは、４９５−５２０ｎｍにある着色領域である。青から黄までの色相で選択される他方の着色領域は、該領域を透過した光の波長のピークが５００−５９０ｎｍにある着色領域であり、好ましくは５１０−５８５ｎｍにある着色領域、もしくは５３０−５６５ｎｍにある着色領域である。
【０１０７】
次に、ｘｙ色度図で表現する。青系の着色領域は、ｘ≦０．１５１、ｙ≦０．０５６にある着色領域であり、好ましくは、０．１３４≦ｘ≦０．１５１、０．０３４≦ｙ≦０．０５６にある着色領域である。赤系の着色領域は、０．６４３≦ｘ，ｙ≦０．３３３にある着色領域であり、好ましくは、０．６４３≦ｘ≦０．６９０，０．２９９≦ｙ≦０．３３３にある着色領域である。青から黄までの色相で選択される一方の着色領域は、ｘ≦０．１６４，０．４５３≦ｙにある着色領域であり、好ましくは、０．０９８≦ｘ≦０．１６４，０．４５３≦ｙ≦０．７５９にある着色領域である。青から黄までの色相で選択される他方の着色領域は、０．２５７≦ｘ，０．６０６≦ｙにある着色領域であり、好ましくは、０．２５７≦ｘ≦０．３５７，０．６０６≦ｙ≦０．６７０にある着色領域である。これら４色の着色領域は、サブ画素に透過領域と反射領域を備えた場合、透過領域及び反射領域も上述した範囲で適用することができるものである。
【０１０８】
本発明のバックライトとして、ＲＧＢの光源としてＬＥＤ、蛍光管、有機ＥＬを用いても良い。または白色光源を用いていも良い。なお、白色光源は青の発光体とＹＡＧ蛍光体により生成される白色光源でもよい。ＲＧＢ光源としては、以下のものが好ましい。Ｂは波長のピークが４３５ｎｍ−４８５ｎｍにあるもの。Ｇは波長のピークが５２０ｎｍ−５４５ｎｍにあるもの。Ｒは波長のピークが６１０ｎｍ−６５０ｎｍにあるもの。そして、ＲＧＢ光源の波長によって、上記カラーフィルターを適切に選定すればより広範囲の色再現性を得ることができる。また、波長が例えば、４５０ｎｍと５６５ｎｍにピークがくるような、複数のピークを持つ光源を用いていも良い。
【０１０９】
上記４色の着色領域の構成の例として、例えば、色相が、赤、青、緑、黄の着色領域。色相が、赤、青、深緑、黄の着色領域。色相が、赤、青、エメラルド、黄の着色領域。色相が、赤、青、深緑、黄緑の着色領域。色相が、赤、青緑、深緑、黄緑の着色領域が挙げられる。
【０１１０】
なお、上記のサブ画素ＳＧに対しては、着色部６Ｒ、６Ｇ、６Ｂ及び６Ｃとして、上述の各色や色相を対応させることが可能である。例えば、それぞれ赤、黄緑、深緑、青の着色部を設けたり、上記のサブ画素ＳＧに対して、それぞれ上記赤系の着色領域、上記青から黄までの色相で選択される他方の着色領域、上記青から黄までの色相で選択される一の着色領域、上記青系の着色領域を対応させたりすることができる。
【０１１１】
［電子機器］
上記実施形態の液晶表示装置を備えた電子機器の例について説明する。
図２５は、携帯電話の一例を示した斜視図である。図２５において、符号１０００は携帯電話本体を示し、符号１００１は上記の液晶表示装置を用いた表示部を示している。
図２５に示す電子機器は、上記実施形態の液晶表示装置を備えているので、色再現性にに優れた液晶表示部を備えた携帯型電子機器を実現することができる。
【０１１２】
なお、本発明の技術範囲は上記実施の形態に限定されるものではなく、本発明の趣旨を逸脱しない範囲において種々の変更を加えることが可能である。例えば上記実施の形態ではＴＦＴ素子を用いたアクティブマトリクス型の半透過反射型液晶表示装置や有機ＥＬ装置に本発明を適用した例を示したが、これに限ることはなく、ポリシリコンＴＦＴ素子を用いたアクティブマトリクス型、ＴＦＤ素子を用いたアクティブマトリクス型、パッシブマトリクス型、透過型、反射型等の液晶表示装置に本発明を適用することも可能である。あるいは、液晶表示装置や有機エレクトロルミネッセンス装置のみならず、プラズマディスプレイ等の種々の表示装置に適用が可能である。さらに、本発明の電子機器としては、携帯電話の他、携帯情報端末（ＰＤＡ）、フォトビューワ等を挙げることができる。
【図面の簡単な説明】
【０１１３】
【図１】本発明の第１実施形態である液晶表示装置の概略構成を示す斜視図である。
【図２】同、液晶表示装置の色再現範囲を示すｘｙ色度図である。
【図３】同、液晶表示装置の色再現範囲を示すｕ’ｖ’色度図である。
【図４】実施例１のカラーフィルターの分光特性を示す図である。
【図５】実施例１のバックライトの分光特性を示す図である。
【図６】実施例１のｘｙ色度図である。
【図７】実施例１のｕ’ｖ’色度図である。
【図８】実施例２のカラーフィルターの分光特性を示す図である。
【図９】実施例２のバックライトの分光特性を示す図である。
【図１０】実施例２のｘｙ色度図である。
【図１１】実施例２のｕ’ｖ’色度図である。
【図１２】実施例３のカラーフィルターの分光特性を示す図である。
【図１３】実施例３のバックライトの分光特性を示す図である。
【図１４】実施例３のｘｙ色度図である。
【図１５】実施例３のｕ’ｖ’色度図である。
【図１６】実施例４のカラーフィルターの分光特性を示す図である。
【図１７】実施例４のバックライトの分光特性を示す図である。
【図１８】実施例４のｘｙ色度図である。
【図１９】実施例４のｕ’ｖ’色度図である。
【図２０】実施例５のカラーフィルターの分光特性を示す図である。
【図２１】実施例５のバックライトの分光特性を示す図である。
【図２２】実施例５のｘｙ色度図である。
【図２３】実施例５のｕ’ｖ’色度図である。
【図２４】特許文献１の映像表示装置の色再現範囲を示すｕ'ｖ'色度図である。
【図２５】本発明の電子機器の一例を示す斜視図である。
【図２６】実施例６のカラーフィルターの分光特性を示す図である。
【図２７】実施例６のバックライトの分光特性を示す図である。
【図２８】実施例６のｘｙ色度図である。
【図２９】実施例６のｕ’ｖ’色度図である。
【図３０】本発明の第２実施形態である有機ＥＬ装置の概略構成を示す断面図である。
【図３１】実施例７のカラーフィルターの分光特性を示す図である。
【図３２】実施例７のバックライトの分光特性を示す図である。
【図３３】実施例７のｘｙ色度図である。
【図３４】実施例７のｕ’ｖ’色度図である。
【図３５】本発明の第３実施形態である有機ＥＬ装置の概略構成を示す断面図である。
【図３６】実施例８のカラーフィルターの分光特性を示す図である。
【図３７】実施例８のバックライトの分光特性を示す図である。
【図３８】実施例８のｘｙ色度図である。
【図３９】実施例８のｕ’ｖ’色度図である。
【図４０】本発明の第４実施形態である液晶表示装置の概略構成を示す断面図である。
【図４１】本発明の第４実施形態である液晶表示装置の画素の概略構成を示す平面図である。
【符号の説明】
【０１１４】
３…液晶表示装置、１３，２８…カラーフィルター、１３Ｒ，２８Ｒ…赤色着色部、１３Ｇ，２８Ｇ…緑色着色部、１３Ｂ，２８Ｂ…青色着色部、１３Ｃ，２８Ｃ…シアン色着色部、２０，４０…有機ＥＬ装置。
【図１】
2007114295.tif 000021
【図２】
2007114295.tif 000022
【図３】
2007114295.tif 000023
【図４】
2007114295.tif 000024
【図５】
2007114295.tif 000025
【図６】
2007114295.tif 000026
【図７】
2007114295.tif 000027
【図８】
2007114295.tif 000028
【図９】
2007114295.tif 000029
【図１０】
2007114295.tif 000030
【図１１】
2007114295.tif 000031
【図１２】
2007114295.tif 000032
【図１３】
2007114295.tif 000033
【図１４】
2007114295.tif 000034
【図１５】
2007114295.tif 000035
【図１６】
2007114295.tif 000036
【図１７】
2007114295.tif 000037
【図１８】
2007114295.tif 000038
【図１９】
2007114295.tif 000039
【図２０】
2007114295.tif 000040
【図２１】
2007114295.tif 000041
【図２２】
2007114295.tif 000042
【図２３】
2007114295.tif 000043
【図２４】
2007114295.tif 000044
【図２５】
2007114295.tif 000045
【図２６】
2007114295.tif 000046
【図２７】
2007114295.tif 000047
【図２８】
2007114295.tif 000048
【図２９】
2007114295.tif 000049
【図３０】
2007114295.tif 000050
【図３１】
2007114295.tif 000051
【図３２】
2007114295.tif 000052
【図３３】
2007114295.tif 000053
【図３４】
2007114295.tif 000054
【図３５】
2007114295.tif 000055
【図３６】
2007114295.tif 000056
【図３７】
2007114295.tif 000057
【図３８】
2007114295.tif 000058
【図３９】
2007114295.tif 000059
【図４０】
2007114295.tif 000060
【図４１】
2007114295.tif 000061